(57)【要約】【課題】  セグメントをリング状に組み立てるときに、セグメント継手構造としての雄型金物が外力を受けて撓むように変形するとき、その変形を埋込み部のコンクリートに伝えることがないようにして、コンクリートにクラックが入ることを防止できるようにする。【解決手段】  セグメント接合面１５に埋め込む雄型金物１９を、先端側に係止部１９ｂを有する雄型金物本体１９ａと、埋込み用部材としてのプレート状の高剛性部材２０と、アンカー筋１８とからなる構成とする。雄型金物１９の高剛性部材２０とアンカー筋１８を、セグメント接合面１５のコンクリート２１に埋め込み、高剛性部材２０の前面を、セグメント接合面１５に露出させるようにする。上記雄型金物本体１９ａが外力を受けて変形すると、その変形を高剛性部材２０で受けるようにする。【選択図】図１
2010133112.tif 000002
【特許請求の範囲】
【請求項１】
セグメント接合面に雄型の継手と雌型の継手が埋め込まれているセグメントの雌型の継手と、別のセグメントの雄型の継手とを係合してセグメントを組み立てるようにしてあるコンクリート製のトンネル覆工用セグメントにおいて、先端部に係止部を有する雄型金物本体と、該雄型金物本体を支持する埋込み用部材と、アンカー筋とからなる雄型金物を雄型の継手として構成して、該雄型金物の埋込み用部材とアンカー筋を、セグメント接合面の上記雄型の継手の埋込み部に埋め込み、且つ上記雄型金物本体をセグメント接合面より突出させるよう埋込み用部材を該セグメント接合面に露出させて埋設した構成を有することを特徴とするセグメント。
【請求項２】
セグメント接合面にほぞ溝又はほぞを形成させたセグメントの該接合面に、雄型金物を、雄型金物本体が突出するように埋込み用部材とアンカー筋を埋め込んで装着させてなる請求項１記載のセグメント。
【請求項３】
埋込み用部材を、プレート状又は矩形ブロック状の高剛性部材とし、該高剛性部材の前面側に雄型金物本体を、後面側にアンカー筋をそれぞれ取り付けるようにして、高剛性部材とアンカー筋を埋め込むようにした請求項１又は２記載のセグメント。
【請求項４】
埋込み用部材を、弾性部材とし、該弾性部材の内部で雄型金物本体を支持させ、該雄型金物本体にアンカー筋を取り付けるようにして、弾性部材とアンカー筋を埋め込むようにした請求項１又は２記載のセグメント。
【請求項５】
前端部に雄型金物本体の係止部を係合させるための係止部を有し且つ後端側にアンカー筋を固定した金物の外周に弾性部材を取り付けてなる雌型金物を、セグメント接合面に埋め込み、雄型金物との係止時に雌型金物が弾力的に挙動できるようにした請求項１記載のセグメント。
【請求項６】
前端部に雄型金物本体の係止部を係合させるための係止部を有し且つ後端側にアンカー筋を固定した金物の外周に弾性部材を取り付けてなる雌型金物を、ほぞ溝又はほぞを形成させたセグメントの接合面に埋め込むようにした請求項５記載のセグメント。
【発明の詳細な説明】
【技術分野】
【０００１】
本発明は、シールド工法でトンネル覆工に用いるコンクリート製のセグメントに関するものである。
【背景技術】
【０００２】
軟弱な地盤や既設構造物に隣接する地盤に安全にトンネルを築造するための工法として、シールド工法がよく知られている。このシールド工法は、シールドと呼ばれる鋼鉄製の円筒で崩壊しようとする土を押さえながら掘削すると共にシールドを切羽方向に押し出し、これと並行してシールド内の後方でリングを半径方向に分割した構造のセグメントをセグメント組立機によりリング状に組み立てながらセグメント同士を連結し、更に、該リング状に組み立てたセグメントをトンネル軸方向に順次結合していくことにより、トンネルの内壁を形成していく工法であり、該工法の施工性などの観点から種々の連結装置を備えたセグメントが開発されてきている。
【０００３】
図６及び図７（イ）（ロ）は従来のトンネル覆工用セグメントの一例を示すもので、コンクリート製のトンネル覆工用セグメント１のトンネル軸に平行なセグメント接合面２には、切羽方向に延びる溝状の凹部３が設けられ、一端側の凹部３には、該切羽方向に指向して放射状に拡開した嵌合部を持つ水平の鋼鉄製の雌金具５が、又、他端側の凹部３には、切羽と反対方向に指向して放射状に拡開した嵌合部を持つ水平の鋼鉄製の雄金具４が、それぞれ装着されている。上記雌金具５には、鉤形断面部５ａが形成され、雄金具４には、上記鉤形断面部５ａに係止する係止片４ａが設けられている。
【０００４】
更に、上記雄金具４と雌金具５には、トンネル軸方向と直角方向に延びる複数本のアンカー筋６が固定されており、上記雌金具５は、凹部３内に位置するようにアンカー筋６とともにセグメント１に埋設されている。一方、上記雄金具４は、凹部３の位置でセグメント接合面２よりも外方へ係止片４ａが突出して位置するようにアンカー筋６とともにセグメント１に埋設されている。
【０００５】
図６中、７はセグメント１の切羽に対向する面に設けられたほぞで、通しボルト８の挿通孔が設けられている。
【０００６】
上記のように構成されているセグメント１同士を周方向に連結してリング状に組み立てて行く場合は、一方のセグメント１の雌金具５が装着されているセグメント接合面２に、セグメント組立機により運ばれる他方のセグメント１の雄金具４が装着されているセグメント接合面２を接近させた後、上記一方のセグメント１の雌金具５の鉤形断面部５ａに、上記他方のセグメント１の雄金具４の係止片４ａを、該他方のセグメント１を切羽方向と平行な方向へ移動させることにより係合させながら両セグメント１のセグメント接合面２同士を接触させ、両セグメントの接合面にモルタルを充填してセグメント１の接合を行うようにしてある（たとえば、特許文献１参照）。
【０００７】
又、図８乃至図１０は従来のセグメントの他の例を示すもので、トンネル軸方向に平行なセグメント接合面２を有するセグメント９の該接合面２に凹部１０を切羽方向に延びるように形成し、一端側の接合面２の凹部１０には、一端側にアンカー筋１１ｂを固定した基部１１ａの他端側に係止部１１ｃを有する雄型継手１１を、係止部１１ｃが接合面２に対し所要角度となるように傾斜した状態で露出するように埋設し、反対側の接合部２の凹部１０には、一端側にアンカー筋１２ｂを固定した基部１２ａの他端側に係止部１２ｃを有する雌型継手１２を、係止部１２ｃが上記雄型継手１１の係止部１１ｃに対応して接合面２に対し所要角度となるように傾斜した状態で露出するよう埋設した構成としてある。
１３は雄型継手１１の係止部１１ｃの前端面に固定されている補強用鉄鋼板である。
【０００８】
上記構成の継手構造を有するセグメント９を接合してリング状に組み立てる場合は、一方のセグメント９の雌型継手１２が埋設されている接合面２に、他方のセグメント９を、雄型継手１１が埋設されている接合面２が接近するように位置させた後、該他方のセグメント９を切羽方向と平行な方向へ移動させることにより、雄型継手１１の係止部１１ｃを、一方のセグメント９の雌型継手１２の係止部１２ｃに係合させて、図８に示すようにして接合するようにしてある（たとえば、特許文献２参照）。
【０００９】
【特許文献１】特開平０８−２３２５８５号公報
【特許文献２】特開２０００−３２８８８９号公報
【発明の開示】
【発明が解決しようとする課題】
【００１０】
ところが、図６及び図７（イ）（ロ）に示すセグメント１の場合も、図８乃至図１０に示すセグメント９の場合も、継手構造の雄側の金具がセグメント接合面よりも突出した構成のものとしてある。すなわち、図６及び図７（イ）（ロ）に示すセグメント１は、雄金具４の係止片４ａをセグメント接合面２よりも突出させた状態でセグメント１のコンクリート中に雄金具４をそのまま埋設した構成としてある。
【００１１】
又、図８乃至図１０に示すセグメント９も、雄型継手１１の係止部１１ｃをセグメントの接合面２よりも突出させた状態でセグメント９のコンクリート中に雄型継手１１をそのまま埋設した構成としてある。
【００１２】
そのため、上記した従来のいずれのセグメント１，９を、リング状にセグメントを組み立てる場合にも、セグメント組立機に支持されたセグメント１又は９を接合すべきセグメントに接近させる際に該接合すべきセグメントに、上記突出している雄金具４や雄型継手１１が突き当ったりして、雄金具４や雄型継手１１に外力が加わることがある。又、接合すべきセグメントの雌金具５や雌型継手１２に、組み付けようとするセグメントの上記雄金具４や雄型継手１１を係合させるために押し込むようにするとき、雄金具４や雄型継手１１に外力が加わることがある。
【００１３】
このようにセグメントの組立施工時に、上記雄金具４や雄型継手１１に加わる外力は、いろいろな方向からのものであり、雄金具４や雄型継手１１に外力が作用すると、該雄金具４や雄型継手１１が撓むように変形させられる。
【００１４】
これにより、セグメントの接合面２で雄金具４や雄型継手１１と接しているコンクリートにクラックが発生するという問題がある。
【００１５】
そこで、本発明は、セグメントをリング状に組み立てるときに、セグメント継手構造の雄型や雌型の金物が外力を受けて変形するようなことがあっても、セグメント接合面のコンクリートにクラックが発生することがないようにして、セグメントの組立施工時において雄型金物と雌型金物との係合の容易さを図ると共に係合後は雄型金物、雌型金物に引張力だけが作用することを利用し、セグメント接合後は雄型又は雌型の金物が継手としての機能を損うことがないようにしようとするものである。
【課題を解決するための手段】
【００１６】
本発明は、上記課題を解決するために、セグメント接合面に雄型の継手と雌型の継手が埋め込まれているセグメントの雌型の継手と、別のセグメントの雄型の継手とを係合してセグメントを組み立てるようにしてあるコンクリート製のトンネル覆工用セグメントにおいて、先端部に係止部を有する雄型金物本体と、該雄型金物本体を支持する埋込み用部材と、アンカー筋とからなる雄型金物を雄型の継手として構成して、該雄型金物の埋込み用部材とアンカー筋を、セグメント接合面の上記雄型の継手の埋込み部に埋め込み、且つ上記雄型金物本体をセグメント接合面より突出させるよう埋込み用部材を該セグメント接合面に露出させて埋設した構成を有することを特徴とするセグメントとする。
【００１７】
上記セグメントは、セグメント接合面にほぞ溝又はほぞを形成させたものとしてもよい。
【００１８】
又、上記構成における埋込み用部材を、プレート状又は矩形ブロック状の高剛性部材とし、該高剛性部材の前面側に雄型金物本体を、後面側にアンカー筋をそれぞれ取り付けるようにして、高剛性部材とアンカー筋を埋め込むようにしたり、更に、弾性部材とし、該弾性部材の内部で雄型金物本体を支持させ、該雄型金物本体にアンカー筋を取り付けるようにして、弾性部材とアンカー筋を埋め込むようにしたものとする。
【００１９】
更に、前端部に雄型金物本体の係止部を係合させるための係止部を有し且つ後端側にアンカー筋を固定した金物の外周に弾性部材を取り付けてなる雌型金物を、セグメント接合面、あるいは、ほぞ溝又はほぞを形成させたセグメント接合面に埋め込み、雄型金物との係合時に雌型金物が弾力的に挙動できるようにした構成とする。
【００２０】
これにより、本発明のセグメントは、組立施工時において、雄型金物と雌型金物の係合の容易さを図ると共に係合後は金物の引張力だけが作用することを利用し、セグメント接合後は継手の機能を損わないようにしてある。
【発明の効果】
【００２１】
本発明のセグメントによれば、次のような優れた効果を奏し得る。  
（１）セグメント接合面に雄型の継手と雌型の継手が埋め込まれているセグメントの雌型の継手と、別のセグメントの雄型の継手とを係合してセグメントを組み立てるようにしてあるコンクリート製のトンネル覆工用セグメントにおいて、先端部に係止部を有する雄型金物本体と、該雄型金物本体を支持する埋込み用部材と、アンカー筋とからなる雄型金物を雄型の継手として構成して、該雄型金物の埋込み用部材とアンカー筋を、セグメント接合面の上記雄型の継手の埋込み部に埋め込み、且つ上記雄型金物本体をセグメント接合面より突出させるよう埋込み用部材を該セグメント接合面に露出させて埋設した構成を有することを特徴とするセグメントとしてあるので、セグメントの組立施工時に、セグメント接合面より突出している雄型金物本体に外力が加わって撓む等の変形をする状態になっても、該雄型金物本体の変形は、セグメントのコンクリートに伝わることはなく、コンクリートに埋め込まれている埋込み用部材で支持させることができる。これにより雄型金物の埋込み部のコンクリートにクラックを発生させることを防止できる。  
（２）セグメント接合面にほぞ溝又はほぞを形成したセグメントの該接合面に雄型金物を上記と同様にして埋設するようにすることにより、セグメントの接合時に、ほぞとほぞ溝との嵌合により、セグメント同士を適正位置により強固に接合させることが可能となる。
（３）埋込み用部材を、プレート状又は矩形ブロック状の高剛性部材とし、該高剛性部材の前面側に雄型金物本体を、後面側にアンカー筋をそれぞれ取り付けるようにして、高剛性部材とアンカー筋を埋め込むようにした構成とすることにより、雄型金物本体の変形を高剛性部材で受けることができて、上記雄型金物本体の変形を、高剛性部材が埋め込まれたコンクリートに伝えないようにすることができ、コンクリートのクラック発生を防止できる。  
（４）更に、埋込み用部材を、弾性部材とし、該弾性部材の内部で雄型金物本体を支持させ、該雄型金物本体にアンカー筋を取り付けるようにして、弾性部材とアンカー筋を埋め込むようにした構成とすることにより、雄型金物本体の変形を弾性部材で吸収することができて、コンクリートに伝えないようにすることができ、コンクリートのクラック発生を防止できる。この際、セグメント接合後の引張り剛性は低下することがないので、セグメントとして機能を満たすことができる。  
（５）前端部に雄型金物本体の係止部を係合させるための係止部を有し且つ後端側にアンカー筋を固定した金物の外周に弾性部材を取り付けてなる雌型金物を、セグメント接合面、あるいは、ほぞ溝又はほぞを形成させたセグメント接合面に埋め込み、雄型金物との係合時に雌型金物が弾力的に挙動できるようにした構成とすることにより、雌型金物と雄型金物の係合が容易になると共に、係合後は、金物の引張力だけが作用することを利用できて、継手の機能を損うことがない。
【発明を実施するための最良の形態】
【００２２】
以下、本発明を実施するための最良の形態を図面を参照して説明する。
【００２３】
図１（イ）（ロ）（ハ）は本発明の実施の一形態を示すもので、コンクリート製のトンネル覆工用セグメント１４の周方向の一端側に形成されているセグメント接合面１５には、切羽方向に延びるように所要長さの凹部１６が設けられて、該凹部１６の所要位置に、前端部に係止部１７ａを有し且つ後端側にアンカー筋１８が固定してある雌型金物１７が、係止部１７ａが凹部１６内に突出位置しているように埋設してある。
【００２４】
本発明の特徴とするところは、上記雌型金物１７の係止部１７ａに係合させて、セグメント同士を接合するための特殊な雄型金物１９を、上記雌型金物１７を装着させたセグメント接合面とは反対側のセグメント接合面１５に埋め込んで装着してなるセグメント１４とすることである。
【００２５】
詳述すると、本発明のセグメント１４は、鉄鋼板製の雄型金物本体１９ａの先端側の上下両側面に、係止部１９ｂを、前記雌型金物１７の係止部１７ａに対応させて楔状に傾斜させて固定装着させ、且つ上記雄型金物本体１９ａの基端側を、該雄型金物本体１９ａの幅寸法及び厚み寸法よりも大きい長さ及び幅を有し且つ所要の厚みを有する埋込み用部材としての鉄鋼製のプレート状高剛性部材２０の片面に、溶接により固着させる。
【００２６】
上記高剛性部材２０の反対面には、複数本のアンカー筋１８の一端を溶接により取り付け、雄型金物本体１９ａと高剛性部材２０とアンカー筋１８を一体構造としてなる雄型金物１９を、セグメント接合面１５に、高剛性部材２０の前面と雄型金物本体１９ａを除き高剛性部材２０とアンカー筋１８をコンクリート２１に埋め込んで装着させるようにする。
【００２７】
上記雄型金物１９をセグメント接合面１５に装着させている本発明のセグメント１４をリング状に組み立てるときは、図１（イ）に一例を示すように、雌型金物１７が埋設されている被接合側の別のセグメント１４のセグメント接合面１５に、本発明のセグメント１４の雄型金物１９が突出させてあるセグメント接合面１５が接近するように矢印ａ方向に移動させて、雄型金物１９を、別のセグメント１４の凹部１６に挿入させる。
【００２８】
次に、本発明のセグメント１４を切羽方向と平行や矢印ｂ方向へ移動させて、雄型金物１９の係止部１９ｂを、雌型金物１７の係止部１７ａに係合させて、雄型金物１９と雌型金物１７とを嵌合させるようにする。この際、上記雄型金物１９の係止部１９ｂと雌型金物１７の係止部１７ａは、楔状になっているので、両者の嵌合で本発明のセグメント１４は、別のセグメント１４に密着させられることになる。
【００２９】
上記本発明のセグメント１４を別のセグメント１４に接近するように移動するときや、本発明のセグメント１４に装着した雄型金物１９を別のセグメント１４の雌型金物１７に係合させるため押し込むとき等の組立施工時において、雄型金物１９の雄型金物本体１９ａが外力を受けて撓む等の変形が生じても、雄型金物本体１９ａはプレート状の高剛性部材２０に溶接されているため、該雄型金物本体１９ａの変形は高剛性部材２０で受けられることになる。この高剛性部材２０で受けた変形はコンクリート２１に伝えられることはないので、コンクリート２１にクラックが発生することを未然に防止することができる。
【００３０】
次に、図２（イ）（ロ）は本発明のセグメントの実施の他の形態を示すもので、図１（イ）（ロ）（ハ）に示した実施の形態と同様に、雄型金物本体１９ａをプレート状の高剛性部材２０に取り付け、且つ該高剛性部材２０に複数本のアンカー筋１８を取り付け、上記高剛性部材２０とアンカー筋１８をセグメントの接合面１５に埋め込んで、雄型金物本体１９ａを高剛性部材２０の前面より突出させるようにしてある構成において、上記プレート状の高剛性部材２０に代えて、断面形状が矩形状のブロック状の高剛性部材２２の前端面側に開口する所要深さの細溝状の凹部２２ａを形成し、該凹部２２ａに、前後方向の幅寸法を図１（イ）（ロ）（ハ）に示す雄型金物本体１９ａのそれよりも大きくした雄型金物本体１９ａを嵌入させて固定して一体化させるようにする。
【００３１】
更に、上記高剛性部材２２の後端面側に、複数本のアンカー筋１８の一端を溶接によりそれぞれ取り付けて雄型金物１９Ａを構成する。
【００３２】
本発明のセグメント１４は、セグメント接合面１５への雄型金物埋込み個所に、上記構成とした雄型金物１９Ａを、高剛性部材２２とアンカー筋１８を埋め込んだ構成とし、セグメント組立施工時に、上記雄型金物１９Ａの雄型金物本体１９ａが外力を受けて変形したときに、この変形をブロック状の高剛性部材２２を受けるようにしてコンクリート２１に伝えることがないようにしたものである。
【００３３】
その他の構成は図１（イ）（ロ）（ハ）に示したものと同様であり、同一のものには同一符号が付してある。
【００３４】
この実施の形態によれば、図１に示す実施の形態の場合と同様にセグメント接合面１５に、高剛性部材２２が埋め込まれて、該高剛性部材２２に雄型金物本体１９ａが支持されているため、セグメントの組立施工時に雄型金物本体１９ａに加えられる外力により該雄型金物本体１９ａが撓むような荷重を受けて変形した場合でも、雄型金物本体１９ａの変形を高剛性部材２２で受けることができる。これにより雄型金物本体１９ａの変形がコンクリート２１に伝えられることがなくなり、コンクリート２１にクラックが発生することを防止できることになる。
【００３５】
又、図３（イ）（ロ）は本発明のセグメントの実施の更に他の形態を示すもので、前記各実施の形態における高剛性部材２０，２２を埋め込むことに代えて、埋込み用部材としてのゴム等の弾性部材２３を、セグメント接合面１５への雄型金物の埋込み部に埋め込んで、該埋め込まれた弾性部材２３の内部に雄型金物本体１９ａを保持させるようにし、更に、上記雄型金物本体１９ａの後端側を、弾性部材２３より露出させて複数本のアンカー筋１８を固定装着させてなる雄型金物１９Ｂを構成するようにし、この雄型金物１９Ｂの弾性部材２３とアンカー筋１８を、セグメント接合面１５のコンクリート２１に埋め込むようにしたものである。
【００３６】
その他の構成は、図１（イ）（ロ）（ハ）に示したものと同様であり、同一のものには同一符号が付してある。
【００３７】
この実施の形態によれば、雄型金物本体１９ａはコンクリート２１との間に弾性部材２３が介在させてあることから、セグメントの組立施工時に雄型金物本体１９ａが外力を受けて変形したとき、その変形を弾性部材２３で吸収させることができて、上記雄型金物本体１９ａの変形をコンクリート２１に伝えないようにすることができる。この際、雄型金物本体１９ａは、弾性部材２３の内部に保持されているため、該雄型金物本体１９の曲げ剛性が弱まっても、引張り剛性はアンカー筋１８により低下することがないので、継手の機能を損うようなことはなく、セグメントとして機能を満たすことができる。これによりコンクリート２１にクラックが発生することを防止できることになる。
【００３８】
更に、図４（イ）（ロ）は本発明の実施の更に他の形態を示すもので、前記各実施の形態における雄型金物１９，１９Ａ，１９Ｂにそれぞれ用いられている埋込み用部材としての高剛性部材２０、高剛性部材２２、ゴム等の弾性部材２３のうち、たとえば、ゴム等の弾性部材２３を、図１（イ）に示す如く、セグメント１４のセグメント接合面１５に設けられた所要長さの凹部１６の所要位置に埋設されている、前端部に係止部１７ａを有し且つ後端側にアンカー筋１８が固定してある雌型金物１７の外周に取り付けて、特殊な雌型金物１７Ａとしたものである。
【００３９】
すなわち、図３（イ）（ロ）に示す実施の形態における埋込み部材としてのゴム等の弾性部材２３と同様に、前後方向に内部が貫通するような空洞２３ａを有する筒形形状とした弾性部材２３を、図４（イ）（ロ）に概略を示す如く、前端部の下面と前端部の上面にそれぞれ係止部１７ａを有し且つ後端側にアンカー筋１８を固定させた上下２枚の金物からなる雌型金物１７の外周に嵌合させて取り付けることができる大きさとする。
【００４０】
更に、上記弾性部材２３は、セグメント１４の周方向の端部に形成されているセグメント接合面１５のうち、雌型金物１７埋設側に形成される前記凹部１６に対応させて、雌型金物１７の外周に取り付けたときに、上記凹部１６に位置する部分に切欠部２３ｂを設け、雄型金物１９，１９Ａ，１９Ｂとの係合に弾性部材２３が障害にならないようにしてある。
【００４１】
上記のように構成されたゴム等の弾性部材２３を外周に取り付けてなる雌型金物１７Ａをセグメント接合面１５に埋め込むときは、上記ゴム等の弾性部材２３を、セグメント接合面１５に切羽方向に延びるように設けられている所要長さの凹部１６の所要位置に埋め込む。次いで、該埋め込まれた弾性部材２３の内部に、雌型金物１７Ａのアンカー筋１８を除く部分を、図４（イ）に示す如く挿入させて保持させるようにして、雌型金物１７Ａをセグメント１４のコンクリートに弾性部材２３を介して埋設させるようにする。これにより、セグメントの組立施工時に雄型金物１９，１９Ａ，１９Ｂとの係止時に、雌型金物１７Ａの係止部１７ａが外力を受けた場合には、外周部の弾性部材２３により弾力的に変形できることになり、セグメント接合面１５のコンクリートにクラックが発生するようなことを未然に防止することができる。
【００４２】
又、この実施の形態によれば、セグメント接合面１５に雌型金物１７Ａを設置したとき、上記のように弾性部材２３により金物の曲げ剛性は弱くなっても、アンカー筋１８により固定されているので、引張り剛性が低下することはなく、前記した雄型金物１９Ｂの場合と同様に、セグメントとして十分に機能を果たすことができる。
【００４３】
なお、本発明は、上記した実施の形態のみに限定されるものではなく、たとえば、図５に一例を示す如く、セグメント接合面１５にほぞ溝２４を有し、且つ反対側のセグメント接合面に、上記ほぞ溝２４に嵌合し得るほぞを有するセグメント、あるいは、片側のセグメント接合面にほぞ溝とほぞを設け、反対側のセグメント接合面に、上記片側のほぞ溝、ほぞに対応するほぞとほぞ溝を有するようにしたセグメントにおいて、図１（イ）（ロ）（ハ）、図２（イ）（ロ）、図３（イ）（ロ）に示すような雄型金物１９，１９Ａ，１９Ｂや、図４（イ）に示すような雌型継手１７Ａを含む継手構造を適用するようにしてもよいこと、又、１つのセグメント接合面に雄型継手と雌型継手を埋め込んで備えるようにしたセグメントにおいても、本発明のセグメントを適用できること、その他本発明の要旨を逸脱しない範囲内で種々変更を加え得ることは勿論である。
【図面の簡単な説明】
【００４４】
【図１】本発明のセグメントの実施の一形態を示すもので、（イ）はセグメント組立施工時の状態を示す概要平面図、（ロ）は（イ）のＡ−Ａ矢視断面図、（ハ）は（ロ）の斜視図である。
【図２】本発明のセグメントの実施の他の形態を示すもので、（イ）は図１（ロ）に対応する図、（ロ）は（イ）の斜視図である。
【図３】本発明のセグメントの実施の更に他の形態を示すもので、（イ）は図１（ロ）に対応する図、（ロ）は（イ）の斜視図である。
【図４】本発明のセグメントの実施の更に他の形態を示すもので、（イ）は雌型金物を外周に弾性部材を取り付けた場合の図１（イ）のＢ−Ｂ矢視拡大切断側面図、（ロ）は弾性部材の斜視図である。
【図５】本発明のセグメントの接合面の他の例を示す斜視図である。
【図６】従来のセグメント接合構造を有するセグメントの一例を示す斜視図である。
【図７】図６に示すセグメントに用いられている継手構造を示すもので、（イ）は雄金具の斜視図、（ロ）は雌金具の斜視図である。
【図８】従来のセグメントの他の例としてセグメント接合面に雄型継手を設けた状態を示す斜視図である。
【図９】図８に示すセグメントの別のセグメント接合面に雌型継手を設けた状態を示す斜視図である。
【図１０】図８及び図９に示す雄型継手と雌型継手を係合させた状態を示す断面図である。
【符号の説明】
【００４５】
１４  セグメント
１５  セグメント接合面
１７  雌型金物
１７ａ  係止部
１７Ａ  雌型金物
１８  アンカー筋
１９  雄型金物
１９ａ  雄型金物本体
１９ｂ  係止部
１９Ａ  雄型金物
１９Ｂ  雄型金物
２０  高剛性部材（埋込み用部材）
２１  コンクリート
２２  高剛性部材（埋込み用部材）
２３  弾性部材（埋込み用部材）
【図１】
2010133112.tif 000003
【図２】
2010133112.tif 000004
【図３】
2010133112.tif 000005
【図４】
2010133112.tif 000006
【図５】
2010133112.tif 000007
【図６】
2010133112.tif 000008
【図７】
2010133112.tif 000009
【図８】
2010133112.tif 000010
【図９】
2010133112.tif 000011
【図１０】
2010133112.tif 000012